(57)【要約】【課題】　突き刺しベッドの表面における糸の案内を危険にさらすことなく、繊維構造からの繊維輪のニードルによる引き出しによって飾り糸をニードルパンチする装置を提供する。【解決手段】　少なくとも１つの糸（１６）のニードルパンチ装置は、突き刺し方向に往復駆動可能な少なくとも１つのニードルボード（４）、ニードルボード（４）に対向しかつ無端に循環するブラシ帯（３）から成る突き刺しベッド（１）、及び突き刺しベッド（１）とニードルボード（４）との間に設けられるストリツパ（５）を持ち、ストリツパ（５）が、ブラシ帯（３）の循環方向（１０）に延びる少なくとも１つの糸用案内通路（９）を形成し、この案内通路（９）の範囲にニードルボード（４）のニードル用貫通穴（２０）を持っている。本発明により、案内通路（９）が、ブラシ帯（３）へはまる案内壁（１５）の間に設けられ、これらの案内壁（１５）が、ブラシ帯へはまる範囲に、糸（１６）へ向かって先細になる通路断面を区画している。【選択図】　図１
2004100141.tif 000002
【特許請求の範囲】
【請求項１】
　少なくとも１つの糸のニードルパンチ装置であって、突き刺し方向に往復駆動可能な少なくとも１つのニードルボード、ニードルボードに対向しかつ無端に循環するブラシ帯から成る突き刺しベッド、及び突き刺しベッドとニードルボードとの間に設けられるストリツパを持ち、ストリツパが、ブラシ帯の循環方向に延びる少なくとも１つの糸用案内通路を形成し、この案内通路の範囲にニードルボードのニードル用貫通穴を持っているものにおいて、案内通路（９）が、ブラシ帯（３）へはまる案内壁（１５）の間に設けられ、これらの案内壁（１５）が、ブラシ帯へはまる範囲に、糸（１６）へ向かって先細になる通路断面を区画していることを特徴とする、ニードルパンチ装置。
【請求項２】
　ストリッパ（５）が互いに並ぶ複数の案内通路（９）を持ち、これらの案内通路（９）の間に、案内壁（１５）を形成するため断面が楔状の型材（１１）が設けられていることを特徴とする、請求項１に記載の装置。
【請求項３】
　楔状型材（１１）が、ブラシ帯（３）の到来側に、ブラシ帯（３）の循環方向（１０）へ下降しかつ刃先状に構成される端面（１２）を持っていることを特徴とする、請求項２に記載の装置。
【発明の詳細な説明】
【技術分野】
【０００１】　本発明は、少なくとも１つの糸のニードルパンチ装置であって、突き刺し方向に往復駆動可能な少なくとも１つのニードルボード、ニードルボードに対向しかつ無端に循環するブラシ帯から成る突き刺しベッド、及び突き刺しベッドとニードルボードとの間に設けられるストリツパを持ち、ストリツパが、ブラシ帯の循環方向に延びる少なくとも１つの糸用案内通路を形成し、この案内通路の範囲にニードルボードのニードル用貫通穴を持っているものに関する。
【背景技術】
【０００２】　糸を硬化しかつ解撚を防止するため、突き刺しベッド上において糸を案内通路内でニードルパンチ装置により縦に引張り、ニードルを糸に突き通すことによって、糸をニードルパンチすることは公知であり、ニードルは糸長さ方向に対して直角に繊維の輪を引張り、それにより一方では糸の撚りを保持し、他方では糸の硬化を行う。しかし糸長さ方向に対して直角に繊維構造から引張られる繊維により、例えば特別な毛羽立ち又は増大した体積により特徴づけられる飾り糸も製造するため、ベロアフエルトのニードルパンチの際使用されるように、ブラシ帯の形の突き刺しベッドが使用される。しかし事情によっては繊維構造から引き出される繊維がブラシ帯の剛毛の間へ突き刺されるだけでなく、糸自体もブラシ帯の中へ突き刺され、それにより、繊維構造から引出される繊維輪によって繊維ウエブの構成が悪影響を受け、ニードルパンチされた糸をブラシ帯から分離する際困難を伴うことがわかった。
【発明の開示】
【発明が解決しようとする課題】
【０００３】　従って本発明の基礎になっている課題は、突き刺しベッドの表面における糸の案内を危険にさらすことなく、繊維構造からの繊維輪のニードルによる引き出しによって飾り糸をニードルパンチする装置を提供することである。
【課題を解決するための手段】
【０００４】　最初にあげた種類の装置から出発して本発明は、案内通路が、ブラシ帯へはまる案内壁の間に設けられ、これらの案内壁が、ブラシ帯へはまる範囲に、糸へ向かって先細になる通路断面を区画していることによって、与えられた課題を解決する。【０００５】　この手段のため、案内通路を区画する案内壁がブラシ帯へはまり、糸へ向かって先細になる通路断面のため、ブラシ帯の剛毛がますます集まるので、ブラシ帯の剛毛が案内通路の範囲で糸のために比較的密な支えを形成し、この支えが、毛羽形成のため糸繊維構造からの繊維の突き込みを可能にするけれども、ブラシ帯への糸の侵入をほぼ防止する。糸の支え範囲で密集せしめられるブラシ帯の剛毛は、案内壁によって支持され、従ってブラシ帯の循環的に対して直角にそれることはない。【０００６】　一般に複数の糸が平行に並んでニードルパンチされるので、この場合ストリッパが互いに並ぶ複数の案内通路を持ち、これらの案内通路の間に、案内壁を形成するため断面が楔状の型材が設けられている。これらの型材が、ブラシ帯を保護するように、循環するブラシ帯の剛毛の間へはまることができるようにするため、楔状型材が、ブラシ帯の到来側に、ブラシ帯の循環方向へ下降しかつ刃先状に構成される端面を持っているので、型材へ向かって動かされる剛毛が、刃先状に構成される端面の所で離散せしめられ、剛毛群がストリッパの案内通路に従って分割される。
【発明を実施するための最良の形態】
【０００７】　図面には本発明の実施例が示されている。【０００８】　特に図１に示すように、図示した装置は、大体において、転向ロール２の周りに無端に案内されるブラシ帯３により形成される突き刺しベッド１、突き刺しベッド１に対向するニードルボード４、及び突き刺しベッド１とニードルボード４との間に設けられるストリッパ５から成り、ストリッパ５は担体６を介して高さを調節可能である。従来のようにニードルビーム７に挿入されているニードルボード４は、ニードルビーム７を介して偏心輪駆動装置により、ニードル８の突き刺し方向に往復駆動される。【０００９】　ブラシ帯３に面するストリッパ５の側には、互いに並んだ案内通路９が設けられて、特に図３からわかるように、ブラシ帯３の循環方向１０に延びている。これらの案内通路９は、ねじ１２′によりストリッパ５に取り付けられている断面楔状の型材１１の間に形成される。これらの型材１１は、ベルト帯３の到来側端面の範囲に、図２によれば、ブラシ帯３の循環方向に下降して刃状に形成される縁１２を形成している。【００１０】　ブラシ帯３は個々のブラシ板１３から構成され、これらのブラシ板１３は、転向ロール２を介して案内される引張り手段１４に取付けられている。循環するブラシ帯３のブラシ板１３が、突き刺しベッド１へ当てられるストリッパ５へ向かって動かされ、ストリッパ５の型材１１がブラシ板１３の剛毛へはまると、刃先縁１２へ近づく剛毛群は、案内通路９に従って分割され、型材１１により形成されてその間にストリッパ５へ向かって先細になる通路断面を決定する案内壁１５が、図３に示すように、剛毛をその自由端の範囲で密集させる。従ってニードルパンチすべき糸１６は、案内通路９内で、剛毛上に確実に支持され、ブラシ帯３へ突き込まれる危険がない。型材１１のため、剛毛はもはや側方へそれることがない。糸１６の繊維組織からブラシ帯３への毛羽を形成する繊維輪の突き込みは、それにより妨げられない。【００１１】　糸１６のニードルパンチのため、糸１６は供給ボビンから引出され、案内環１７を経て引込みロール１８へ供給される。この引込みロール１８は、ストリッパ５の案内通路９に対して整列されかつその軸線に対して直角に延びる案内溝１９を持っている。引込みロール１８からニードルパンチ装置へ出て行く糸１６は、案内通路９内で、これらの案内通路９の範囲において、ストリッパ５の貫通穴０を貫通しかつ突き出し側に繊維毛羽を形成しながら、ブラシ帯３により形成されるブラシ支えへ突き込まれ、それから糸１６は引出しロール２１を経てブラシ帯３から離される。【００１２】　もちろん本発明は、図示した実施例に限定されない。例えば型材の断面形状を変更して、剛毛の支持及び案内通路の中央への剛毛の押しのけに関して、特別な状態を作り出すことができる。更にブラシ帯３への型材１１の侵入深さを、そのつどの事情に応じて調節することができる。
【図面の簡単な説明】
【００１３】
【図１】　本発明による糸のニードルパンチ装置を概略側面図で示す。
【図２】　部分的にストリッパの範囲にある装置を拡大縦断面図で示す。
【図３】　図２のＩＩＩ−ＩＩＩ線による拡大断面図を示す。
【符号の説明】
【００１４】１　　突き刺しベッド
３　　ブラシ帯
４　　ニードルボード
５　　ストリッパ
８　　ニードル
９　　案内通路
１０　循環方向
１５　案内壁
１６　糸
２０　貫通穴
【図１】
2004100141.tif 000003
【図２】
2004100141.tif 000004
【図３】
2004100141.tif 000005